(57)【要約】【課題】コード線の移動に応じて３次元的に回転しながらも電気的な接続を維持できる電気接続装置を提供する。【解決手段】本発明に係る電気接続装置は、電子製品に固定されるハウジングと、ハウジングに固定され、電子製品の内部装置に電気的に接続される第１内部端子及び第２内部端子と、ハウジングに３次元的に回転可能に結合される回転部材と、回転部材に固定され、外部電源に電気的に接続され、第１内部端子及び第２内部端子とそれぞれ接触を維持する第１外部端子及び第２外部端子とを含む。
2010536140.tif 000002
【特許請求の範囲】
【請求項１】
電子製品に固定されるハウジングと、
前記ハウジングに固定され、前記電子製品の内部装置に電気的に接続される第１内部端子及び第２内部端子と、
前記ハウジングに３次元的に回転可能に結合される回転部材と、
前記回転部材に固定され、外部電源に電気的に接続され、前記第１内部端子及び前記第２内部端子とそれぞれ接触を維持する第１外部端子及び第２外部端子と
を含む電気接続装置。
【請求項２】
前記第１外部端子及び前記第２外部端子は、前記回転部材の表面上に一部露出され、電気的に分離されるように互いに離隔していることを特徴とする請求項１に記載の電気接続装置。
【請求項３】
前記回転部材の表面上に露出する前記第２外部端子の一部は、前記回転部材の表面を囲むリング状であることを特徴とする請求項２に記載の電気接続装置。
【請求項４】
前記第１内部端子と前記第１外部端子、及び前記第２内部端子と前記第２外部端子のうち少なくとも１つは、互いに弾性的に接触することを特徴とする請求項１乃至３の何れか１つに記載の電気接続装置。
【請求項５】
前記第１外部端子は、
前記回転部材に固定され、前記外部電源に電気的に接続される第１外部接続部と、
前記第１内部端子側に流動可能に前記第１外部接続部に結合される第１回転接触部と、
前記第１内部端子と前記第１回転接触部との接触が維持されるように、前記第１外部接続部と前記第１回転接続部との間に介在されるバネと
を含むことを特徴とする請求項４に記載の電気接続装置。
【請求項６】
前記第２内部端子は、前記回転部材を弾性的に支持することを特徴とする請求項１乃至３の何れか１つに記載の電気接続装置。
【請求項７】
前記第１外部端子及び前記第２外部端子は凸状をなし、
前記第１内部端子及び前記第２内部端子のうち少なくとも１つは、前記第１外部端子及び前記第２外部端子の形状に対応して凹状をなすることを特徴とする請求項１乃至３の何れか１つに記載の電気接続装置。
【請求項８】
前記第２外部端子は、
前記第２内部端子に接触する第２回転接触部と、
前記外部電源に電気的に接続され、前記第２回転接触部とは別途に形成されて前記第２回転接触部に結合される第２外部接続部と
を含むことを特徴とする請求項１乃至３の何れか１つに記載の電気接続装置。
【請求項９】
前記第２外部接続部は、弾性的に変形して前記第２回転接触部に結合されることを特徴とする請求項８に記載の電気接続装置。
【請求項１０】
前記回転部材は球の少なくとも一部の形状であり、
前記ハウジングの内部には、前記回転部材を収容するように前記回転部材に対応して収容溝が形成されることを特徴とする請求項１乃至３の何れか１つに記載の電気接続装置。
【請求項１１】
前記第１外部端子及び前記第２外部端子を露出させる前記収容溝の開口部は、前記回転部材の最大径よりも小さい幅を有することを特徴とする請求項１０に記載の電気接続装置。
【請求項１２】
前記開口部は円形であることを特徴とする請求項１１に記載の電気接続装置。
【請求項１３】
前記回転部材の端部に固定され、前記ハウジングへの異質物の流入を防止するキャップをさらに含む請求項１乃至３の何れか１つに記載の電気接続装置。
【発明の詳細な説明】
【技術分野】
【０００１】
本発明は、電子製品などに用いられる電気接続装置に関する。
【背景技術】
【０００２】
一般に、電子製品、例えばテレビジョン、冷蔵庫、ヘアドライヤ、またはヘアアイロンなどは、外部電源からの電気の供給を受けるために、その先端にプラグが設けられたコード線を備えている。このようなコード線は電子装置の内部部品に電気的に接続される。
【０００３】
しかし、従来の電子製品におけるコード線は、電子製品の内部部品に固定されているため、回動することができなかった。そのため、コード線が絡まる場合、コード線と内部部品との接続部には大きな応力が作用して電気的接続の不良又は断線のおそれがある。特に、これらの問題点は小型電子製品、例えばヘアドライヤ、ヘアアイロンまたは電気かみそりなどに多く発生した。
【先行技術文献】
【特許文献】
【０００４】
【特許文献１】大韓民国特許登録番号第２０−０３３１２４３号明細書
【特許文献２】大韓民国実用新案公開番号第２０００−００２０８７０号明細書
【発明の概要】
【発明が解決しようとする課題】
【０００５】
こうした従来技術の問題点に鑑み、本発明は、コード線の移動に応じて３次元的に回転しながらも電気的接続を維持することができる電気接続装置を提供することを目的とする。
【０００６】
本発明の他の目的は、電子製品における接続不良あるいは断線を予防し、耐久性を向上させることができる電気接続装置を提供することにある。
【課題を解決するための手段】
【０００７】
本発明の一実施形態によれば、電子製品に固定されるハウジングと、ハウジングに固定され、電子製品の内部装置に電気的に接続される第１内部端子及び第２内部端子と、ハウジングに３次元的に回転可能に結合される回転部材と、回転部材に固定されて外部電源に電気的に接続され、第１内部端子及び第２内部端子とそれぞれ接触を維持する第１外部端子及び第２外部端子と、を含む電気接続装置が提供される。
【０００８】
第１外部端子及び第２外部端子は、回転部材の表面上に一部露出され、電気的に分離されるように互いに離隔していてもよい。
【０００９】
回転部材の表面上に露出する第２外部端子の一部は、回転部材の表面を囲むリング状であってもよい。
【００１０】
第１内部端子と第１外部端子、及び第２内部端子と第２外部端子のうち少なくとも１つは互いに弾性的に接触可能である。
【００１１】
第１外部端子は回転部材に固定され、外部電源に電気的に接続される第１外部接続部と、第１内部端子側に流動可能に上記第１外部接続部に結合される第１回転接触部と、第１内部端子と第１回転接触部との接触が維持されるように、第１外部接続部と第１回転接続部との間に介在されるバネと、を含むことができる。
【００１２】
第２内部端子は、回転部材を弾性的に支持することができる。
【００１３】
第１外部端子及び第２外部端子は凸状をなし、第１内部端子及び第２内部端子のうち少なくとも１つは、第１外部端子及び第２外部端子の形状に対応して凹状をなすることができる。
【００１４】
第２外部端子は、第２内部端子に接触する第２回転接触部と、外部電源に電気的に接続され、第２回転接触部とは別途に形成されて第２回転接触部に結合される第２外部接続部と、を含むことができる。
【００１５】
第２外部接続部は、弾性的に変形して第２回転接触部に結合可能である。
【００１６】
回転部材は球の少なくとも一部の形状であり、ハウジングの内部には回転部材が収容されるように回転部材に対応して収容溝が形成されてもよい。
【００１７】
第１外部端子及び第２外部端子を露出させる収容溝の開口部は、回転部材の直径よりも小さい幅を有することができる。
【００１８】
開口部は円形であってもよい。
【００１９】
回転部材の端部に固定され、ハウジングへの異質物の流入を防止するキャップをさらに含むことができる。
【図面の簡単な説明】
【００２０】
【図１】本発明の一実施例に係る電気接続装置の結合斜視図である。
【図２】本発明の一実施例に係る電気接続装置の分解斜視図である。
【図３】本発明の一実施例に係る電気接続装置の一部の結合斜視図である。
【図４】本発明の一実施例に係る上部ハウジングの斜視図である。
【図５】本発明の一実施例に係る上部ハウジングの正面図である。
【図６】本発明の一実施例に係る下部ハウジングの正面図である。
【図７】本発明の一実施例に係る下部ハウジングの背面図である。
【図８】本発明の一実施例に係る回転部材の斜視図である。
【図９】本発明の一実施例に係る回転部材の他の形態を示す斜視図である。
【図１０】本発明の一実施例に係る第１外部端子の正面図である。
【図１１】本発明の一実施例に係る第１外部端子の他の形態を示す斜視図である。
【図１２】本発明の一実施例に係る第２外部端子の側面図である。
【図１３】本発明の一実施例に係る第２外部端子の他の形態を示す斜視図である。
【図１４】本発明の一実施例に係る第１内部端子の側面図である。
【図１５】本発明の一実施例に係る第２内部端子の正面図である。
【発明を実施するための形態】
【００２１】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明の説明において、斯かる公知技術に対する具体的な説明が本発明の要旨をかえって不明瞭にすると判断される場合、その詳細な説明を省略する。
【００２２】
図１は、本発明の一実施例に係る電気接続装置１００が電子機器のケース２５０に固定されている状態を示す。
【００２３】
図１を参照すると、本発明の一実施例に係る電気接続装置１００は、上部ハウジング１２２及び下部ハウジング１４２から構成されるハウジングを含む。ハウジングの側面には固定翼１３２が取り付けられており、固定翼１３２はケース２５０にネジなどにより固定される。下部ハウジング１４２の外部に突出する第１内部端子１８０及び第２内部端子１９０（図２参照）は電子製品の内部装置に接続される。そして、回転部材の端部にはハウジング（図２の１２０）への異質物の流入を防止するキャップ２３０が結合されており、キャップ２３０にはコード線２７０が挿入されて第１内部端子１８０及び第２内部端子１９０に電気的に接続される。
【００２４】
本実施例に係る電気接続装置１００によれば、コード線２７０は電気接続装置１００の内部に固定されなく、３次元的に回動可能となっている。このため、コード線が回転または移動しても、コード線と電子製品の内部装置との接続部に応力が発生しないため、電子製品の安全性及び耐久性が向上することができる。
【００２５】
図２は、本発明の一実施例に係る電気接続装置１００の分解状態を示す分解斜視図であり、図３は、ハウジング１２０に第１内部端子１８０及び第２内部端子１９０が固定され、回転部材２１０に第１外部端子１６０及び第２外部端子１７０が結合された状態を示す斜視図である。
【００２６】
図２及び図３を参照すると、本発明の一実施例に係る電気接続装置１００は、電子製品（図示せず）のケース２５０に固定される上部ハウジング１２２及び下部ハウジング１４２から構成されるハウジング１２０と、ハウジング１２０の内部に３次元的に回転可能に挿入される半球状の回転部材２１０と、回転部材２１０と共に３次元的に回転する第１外部端子１６０及び第２外部端子１７０と、ハウジング１２０の内部に固定され、第１外部端子１６０及び第２外部端子１７０に電気的に接触する第１内部端子１８０及び第２内部端子１９０と、を含む。さらに、本実施例に係る電気接続装置１００は回転部材２１０の端部に結合されるキャップ２３０を含む。
【００２７】
この場合、第１外部端子１６０と第２外部端子１７０は回転部材２１０の表面上に、その一部、すなわち、第１回転接触部１６２と第２回転接触部１７２がそれぞれ露出され、電気的に分離されるように互いに離隔している。このため、第１外部端子１６０及び第１内部端子１８０と、第２外部端子１７０及び第２内部端子１９０との間の電気の伝達時に電気的短絡を防止することができる。
【００２８】
一方、外部電源から電気を供給するコード線２７０はキャップ２３０を介してそれぞれ第１外部端子１６０及び第２外部端子１７０に接続する。第１外部端子１６０及び第２外部端子１７０は、両方とも回転部材２１０に結合して３次元的に回転することができる。したがって、外部コード線２７０が動いても第１外部端子１６０及び第２外部端子１７０はコード線２７０の動きを追従することができる。そして、第１内部端子１８０及び第２内部端子１９０は、第１外部端子１６０及び第２外部端子１７０が３次元的に回転するとしても、常に第１外部端子１６０及び第２外部端子１７０にそれぞれ接触することができる。具体的に、外部コード線２７０の回転により第１外部端子１６０及び第２外部端子１７０が３次元的に回転しても、第１外部端子１６０の第１回転接触部１６２は所定の直径を有し、第２外部端子１７０の第２回転接触部１７２は所定の幅を有するため、常に第１内部端子１８０の第１固定接触部１８２及び第２内部端子１９０の第２固定接触部１９２に接触することができる。
【００２９】
以下、図４から図１５を参照しながら本発明の一実施例に係る電気接続装置１００のそれぞれの構成について説明する。
【００３０】
図４及び図５は、本発明の一実施例に係る電気接続装置の上部ハウジング１２２を示す。
【００３１】
図２、図４、及び図５を参照すると、本実施例に係る上部ハウジング１２２は全体的に半球状であり、中央には回転部材２１０を収容するための上部収容溝１２４が形成されている。上部収容溝１２４は球状の回転部材２１０の半分を収容し、下部ハウジング１４２の下部収容溝１４４と共に回転部材２１０の３次元回転をガイドすることができる。上部ハウジング１２２の左右側面には固定翼１３２が外向きに突出している。固定翼１３２には孔が形成され、図１に示されているように、孔に挿入されたネジによりハウジング１２０をケース２５０に固定する。
【００３２】
上部ハウジング１２２の周縁には切欠部１２６が形成されている。切欠部１２６を介して、図１に示されているように、第２内部端子１９０の第２固定接触部１９２の端部が外部に露出する。上部ハウジング１２２の背面には載置溝１３４が形成されている。載置溝１３４には下部ハウジング１４２の突出部１４６が挿入される。上部ハウジング１２２には結合突起１３６が形成されている。結合突起１３６は下部ハウジング１４２の結合孔１５６に挿入され、上部ハウジング１２２及び下部ハウジング１４２を強固に結合させることができる。
【００３３】
図６及び図７は、本発明の一実施例に係る電気接続装置の下部ハウジング１４２を示す。
【００３４】
図２、図６及び図７を参照すると、下部ハウジング１４２は全体的に半球状に形成され、その内部に回転部材２１０の一部を収容する下部収容溝１４４が備えられている。下部収容溝１４４は上部収容溝１２４と共に収容溝１２４，１４４をなしており、この収容溝１２４，１４４は回転部材２１０の３次元的な回動をガイドすることができる。
【００３５】
このとき、第１外部端子１６０と第２外部端子１７０が外部電源に接続されるように、これらを外部に露出させる収容溝１２４，１４４の開口部の幅は半球状の回転部材２１０の直径よりも小さいため、収容溝１２４，１４４に収容された回転部材２１０が３次元回転時にハウジング１２０から分離されることを防止することができる。
【００３６】
ここで、開口部は円形であるため、回転部材２１０に結合されたコード線が開口部にかかることはない。したがって、回転部材２１０は３次元回転時に妨害を受けることなく、自由に回転することができる。
【００３７】
下部ハウジング１４２の背面には突出部１４６が上向きに突出しており、突出部１４６には第１挿入孔１４８及び段差１５０（図２参照）が形成されている。段差１５０には第１内部端子１８０の固定部１８８が挿入固定され、第１内部端子１８０の第１内部接続部１８４は第１挿入孔１４８を介して下部ハウジング１４２の外部に突出する。
【００３８】
図７に示すように、下部ハウジング１４２の背面には第２挿入孔１５２が形成されている。第２挿入孔１５２には第２内部端子１９０の第２内部接続部１９４が挿入され、下部ハウジング１４２の外部に突出する。第１挿入孔１４８及び第２挿入孔１５２は所定の距離を隔てて形成されているため、第１挿入孔１４８を介して外部に突出する第１内部端子１８０及び第２挿入孔１５２を介して外部に突出する第２内部端子１９０は、互いに電気的に分離される。
【００３９】
上述したように、上部ハウジング１２２及び下部ハウジング１４２から構成されるハウジング１２０は、半球状の回転部材２１０が３次元的に円滑に回転できるように支持するガイドの機能をする。また、これとともに第１内部端子１８０及び第２内部端子１９０を固定する役割をする。上部ハウジング１２２及び下部ハウジング１４２は、第１外部端子１６０及び第２外部端子１７０との間、及び第１内部端子１８０と第２内部端子１９０との間を電気的に絶縁するために絶縁性を有する物質で形成される。
【００４０】
図８は、本発明の一実施例に係る回転部材２１０の斜視図であり、図９は、本発明の一実施例に係る回転部材２１０の他の形態を示す斜視図である。
【００４１】
図２及び図８を参照すると、本実施例に係る回転部材２１０は半球状であり、中央には貫通孔２１２が形成されており、周縁には段差２１４が形成されている。貫通孔２１２には、図３に示されているように、第１外部端子１６０が挿入され、第１外部端子１６０の第１回転接触部１６２は貫通孔２１２を介して外部に露出する。外部に露出された第１回転接触部１６２は、下部ハウジング１４２に固定された第１内部端子１８０の第１固定接触部１８２に接触する。そして、段差２１４には第２外部端子１７０の第２回転接触部１７２が挿入され固定される。回転部材２１０はプラスチックなどの絶縁物質で形成されるため、第１内部端子１８０及び第２内部端子１９０は電気的に接続されない。
【００４２】
回転部材２１０は上部ハウジング１２２及び下部ハウジング１４２の内部に拘束され３次元的に回転することができる。したがって、回転部材２１０はハウジング１２０により拘束された状態で任意の方向に回転できるため、外部コード線（図２の２７０参照）が任意の方向に移動してもコード線の絡まり又は捩れなどは発生しない。また、回転部材２１０が回転しても第１外部端子１６０と第１内部端子１８０との間、及び第２外部端子１７０と第２内部端子１９０との間の電気的接触は維持される。
【００４３】
一方、図９を参照すると、回転部材２１０の段差２１４には結合溝２１６が形成されてもよい。これにより、第２外部端子１７０は、図１３に示すように、第２回転接触部１７２と、第２外部接続部１７４とが分離して形成される場合、第２外部接続部１７４は該結合溝２１６及び第２回転接触部１７２により弾性的に変形されて第２回転接触部１７２に結合することができる。これについては、図１３を参照して第２外部端子１７０の説明にて詳しく後述する。
【００４４】
図１０は、本発明の一実施例に係る電気接続装置１００における第１外部端子１６０を示し、図１１は、本発明の一実施例に係る電気接続装置１００における第１外部端子１６０の他の形態を示す。
【００４５】
図２及び図１０を参照すると、本実施例に係る第１外部端子１６０は、ピン状に形成され、その一側には第１外部接続部１６４が形成されており、他側には第１回転接触部１６２が形成されている。第１外部端子１６０は、図２に示されているように、回転部材２１０に挿入されて回転部材２１０と共に３次元的に回転する。第１回転接触部１６２は回転部材２１０の貫通孔２１２を介して外部に露出し、第１内部端子１８０の第１固定接触部１８２に接触する。そして、第１外部接続部１６４は貫通孔２１２に対して反対方向に突出してコード線（図２の２７０参照）に接続する。したがって、コード線を介して流入された電流は第１外部接続部１６４及び第１回転接触部１６２を介して第１内部端子１８０の第１固定接触部１８２に伝達される。
【００４６】
このとき、第１外部端子１６０の第１回転接触部１６２は凸状に形成されている。これにより、第１回転接触部１６２と第１内部端子１８０の第１固定接触部１８２との間の接触面積が増加するため、これらの間の接触抵抗が減少して、より効果的に電気が伝達される。また、第１内部端子１８０の第１固定接触部１８２も第１外部端子１６０の形状に対応して凹状に形成されて、電気伝達率を向上させることができる。
【００４７】
一方、第１外部端子１６０は、図１１に示すように、第１外部接続部１６４と、第１内部端子１８０側に流動可能に第１外部接続部１６４に結合される第１回転接触部１６２とに分離して形成されてもよい。このとき、第１外部接続部１６４と第１回転接触部１６２との間にネジ１６６が介在されて、該ネジ１６６は第１外部接続部１６４及び第１回転接触部１６２に弾性力を提供する。これにより、第１回転接触部１６２は第１内部端子１８０を弾性的に加圧することになって、第１内部端子１８０と第１外部端子１６０との電気的接触が維持される。また、回転部材２１０の流動性が向上され、回転部材２１０が３次元的に円滑に回転できるようになる。
【００４８】
図１２は、本発明の一実施例に係る電気接続装置１００における第２外部端子１７０を示し、図１３は、本発明の一実施例に係る電気接続装置１００における第２外部端子１７０の他の形態を示す。
【００４９】
図２及び図１２を参照すると、第２外部端子１７０は、回転部材２１０の表面を囲み、回転部材２１０の表面に露出しているリング状の第２回転接触部１７２、及び第２回転接触部１７２から突出された第２外部接続部１７４から構成される。第２外部端子１７０の一部、具体的に、第２回転接触部１７２がリング状に形成されているため、回転部材２１０の単純２次元回転時よりも効果的に第２内部端子１９０と第２外部端子１７０とが電気的接触を維持することができる。
【００５０】
第２回転接触部１７２は、図３に示されているように、回転部材２１０の段差２１４に挿入され固定される。これにより、第２外部接続部１７４は貫通孔２１２の反対方向に突出することになる。第２回転接触部１７２は、第２内部端子１９０の第２固定接触部１９２に弾性的に接触する。そして、第２外部接続部１７４はコード線（図２の２７０参照）と接続される。
【００５１】
第２外部端子１７０は回転部材２１０と共に３次元的に回転する。第２回転接触部１７２は所定の幅を有するため、第２外部端子１７０が回転しても第２内部端子１９０との接触状態を維持することができる。
【００５２】
第２外部端子１７０の第２回転接触部１７２は凸状に形成され、第２内部端子１９０の第２固定接触部１９２は第２回転接触部１７２の形状に対応して凹状に形成される。これにより、第２回転接触部１７２と第２内部端子１９０の第２固定接触部１９２との間の接触面積が増加するため、これらの間の接触抵抗が減少して、より効果的に電気が伝達される。
【００５３】
一方、第２外部端子１７０は、図１３に示すように、第２回転接触部１７２と、第２外部接続部１７４とに分離して形成されてもよい。これにより、回転部材２１０、第２外部端子１７０及びキャップ２３０の間の組立の容易性を向上することができる。
【００５４】
第２外部接続部１７４は、図９及び図１３に示すように、回転部材２１０の結合溝２１６及び第２回転接触部１７２により弾性的に変形するように、上記第２回転接触部１７２に結合される。具体的に、第２外部接続部１７４が結合溝２１６に収容されて第２回転接触部１７２に結合されるとき、第２外部接続部１７４の一端が結合溝２１６と第２回転接触部１７２により弾性的に変形されて結合される。これにより、第２外部接続部１７４の一端が第２回転接触部１７２を弾性的に加圧することになり、別の締結手段がなくても、第２外部接続部１７４と第２回転接触部１７２が結合できるようになる。
【００５５】
図１４は本発明の一実施例に係る電気接続装置１００における第１内部端子１８０を示す。
【００５６】
図２及び図１４を参照すると、本実施例に係る第１内部端子１８０は、下部ハウジング１４２の段差１５０に挿入される固定部１８８、組立時回転部材２１０に向かう第１固定接触部１８２、及び下部ハウジング１４２の外部に向かう第１内部接続部１８４を含む。第１固定接触部１８２は回転部材２１０に挿入された第１外部端子１６０の第１回転接触部１６２に接触する。そして、第１内部接続部１８４は電子製品（図示せず）の内部装置と接続される。固定部１８８と第１固定接触部１８２との間には屈曲部１８６が形成されている。屈曲部１８６は第１固定接触部１８２に所定の弾性力を提供し、第１固定接触部１８２が第１回転接触部１６２を弾性的に加圧することになる。これにより、第１内部端子１８０と第１外部端子１６０との電気的接触が維持されるとともに回転部材の流動性が向上されるため、回転部材２１０が３次元的に円滑に回転できるようになる。
【００５７】
第１内部端子１８０の第１固定接触部１８２は、回転部材２１０の３次元的回転から第１外部端子１６０の第１回転接触部１６２が移動可能となる範囲に対応する幅を有する。これは、第１外部端子１６０の第１回転接触部１６２が回転部材２１０の回転により所定の範囲内で移動可能となり、回転部材２１０の３次元的回転時にも第１内部端子１８０と第１外部端子１６０の電気的接続を維持するためには第１内部端子１８０の第１固定接触部１８２が、この範囲をカバーする幅を有さなければならないからである。第１外部端子１６０も、第１内部端子１８０と同様の原理で幅を設定することができ、これに対する詳細な説明は省略する。
【００５８】
図１５は、本発明の一実施例に係る電気接続装置１００における第２内部端子１９０を示す。
【００５９】
図２及び図１５を参照すると、本実施例に係る第２内部端子１９０は、一対のストリップ（ｓｔｒｉｐ）１９３からなる第２固定接触部１９２と、第２固定接触部１９２から突出する第２内部接続部１９４とを含む。第２内部端子１９０は下部ハウジング１４２の内部に位置し、上部ハウジング１２２と下部ハウジング１４２との結合時に回転部材２１０を弾性的に支持する。これにより、回転部材２１０はハウジング１２０の内部で流動性をもって３次元的に回転することができる。
【００６０】
また、一対のストリップ１９３は、第２外部端子１７０の第２回転接触部１７２の外周面と弾性的に接する。これにより、第２内部端子１９０と第２外部端子１７０との電気的接触が維持されるとともに回転部材２１０の流動性が向上され、回転部材２１０が３次元的に円滑に回転することができる。
【００６１】
ストリップ１９３は銅などの弾性力のある導電体で形成され、回転部材２１０の形状に対応して凹状をなす。ストリップ１９３は所定の幅を有するため、第２回転接触部１７２が３次元的に回転しても電気的に接続されることができる。そして、第２内部接続部１９４は、下部ハウジング１４２の第２挿入孔１５２を介して外部に突出する。第２内部接続部１９４は電子製品（図示せず）の内部装置に接続される。
【００６２】
第２内部端子１９０の第２固定接触部１９２は、回転部材２１０の３次元的回転による第２外部端子１７０の第２回転接触部１７２が移動可能となる範囲に対応する幅を有する。これは、第２外部端子１７０の第２回転接触部１７２が回転部材２１０の回転により所定の範囲内で移動可能となり、回転部材２１０の３次元的回転時にも第２内部端子１９０と第２外部端子１７０の電気的接続を維持するためには第２内部端子１９０の第２固定接触部１９２が、この範囲をカバーする幅を有さなければならないからである。第２外部端子１７０も、第２内部端子１９０と同様の原理で幅または直径を設定することができ、これに対する詳細な説明は省略する。
【００６３】
以下、図２及び図３を参照しながら本発明の一実施例に係る電気接続装置１００の結合について説明する。
【００６４】
図２及び図３を参照すると、下部ハウジング１４２の下部収容溝１４４には第２内部端子１９０が位置する。第２内部端子１９０の第２固定接触部１９２は下部ハウジング１４２の形状に対応して球状を有する。第２内部端子１９０の第２内部接続部１９４は下部ハウジング１４２の第２挿入孔１５２を介して外部に突出する。
【００６５】
第１内部端子１８０の固定部１８８は下部ハウジング１４２の段差１５０に挿入され固定される。これにより、第１内部端子１８０の第１固定接触部１８２は下部ハウジング１４２の内部に位置し、第１内部接続部１８４は下部ハウジング１４２の外部に位置する。
【００６６】
第１内部端子１８０及び第２内部端子１９０は下部ハウジング１４２において所定間隔を隔てて位置するため、電気的に接続されない。
【００６７】
回転部材２１０の貫通孔２１２には第１外部端子１６０が挿入され、これにより第１外部端子１６０の第１回転接触部１６２は回転部材２１０の外部に露出する。第１外部端子１６０の第１外部接続部１６４は貫通孔２１２の反対方向に突出する。また、回転部材２１０の段差２１４には第２外部端子１７０の第２回転接触部１７２が挿入され固定される。第２回転接触部１７２が結合された回転部材２１０はキャップ２３０に結合して球状を有する。
【００６８】
第１外部端子１６０及び第２外部端子１７０に結合された回転部材２１０は、下部ハウジング１４２の下部収容溝１４４に挿入される。このとき、下部ハウジング１４２には第２内部端子１９０が固定されており、第２内部端子１９０の一対のストリップ１９３は所定間隔を隔てるようになり回転部材２１０を収容する。これにより、第２内部端子１９０のストリップ１９３は第２外部端子１７０の第２回転接触部１７２に接触する。そして、回転部材２１０がストリップ１９３の間に挿入されると、第１回転接触部１６２は第１固定接触部１８２に弾性的に接触する。
【００６９】
外部電源からコード線２７０を介して流入された電流は、それぞれ第１外部接続部１６４及び第２外部接続部１７４を介して第１回転接触部１６２及び第２回転接触部１７２に伝達される。第１回転接触部１６２は第１内部端子１８０の第１固定接触部１８２を介して第１内部接続部１８４に電流が流れるようにし、第２回転接触部１７２は第２固定接触部１９２を介して第２内部接続部１９４に電流が流れるようにする。第１内部接続部１８４及び第２内部接続部１９４はそれぞれ電子製品の内部装置に接続される。
【００７０】
下部ハウジング１４２の第１挿入孔１４８に第１内部端子１８０を挿入して固定し、下部収容溝１４４に第２内部端子１９０を挿入して固定する。回転部材２１０の貫通孔２１２に第１外部端子１６０を挿入し、段差２１４に第２外部端子１７０を結合した後に回転部材２１０とキャップ２３０とを結合して、キャップ２３０の収容孔２３２に第１外部接続部１６４及び第２外部接続部１７４の一部が位置するようにして下部ハウジング１４２の下部収容溝１４４に挿入する。このとき、第１外部端子１６０の第１回転接触部１６２は第１内部端子１８０の第１固定接触部１８２に接触し、第２外部端子１７０の第２回転接触部１７２は第２内部端子１９０の第２固定接触部１９２に接触する。そして、上部ハウジング１２２に形成された固定突起１３６を、下部ハウジング１４２に形成された結合孔１５６に挿入してハウジング１２０を完成する。ハウジング１２０を完成した後、電子機器のケースにネジ（図示せず）などを用いて固定する。
【００７１】
ハウジング１２０の内部に位置する回転部材２１０は、上部ハウジング１２２及び下部ハウジング１４２の内周面によりガイドされて３次元的に回転することができる。このとき、回転部材２１０に結合されている第１外部端子１６０及び第２外部端子１７０が共に回転する。第１外部端子１６０及び第２外部端子１７０は回転部材２１０の回転によっても第１内部端子１８０及び第２内部端子１９０と接触するため、外部電源から供給される電流を内部装置に供給し続けることができる。
【００７２】
このような電気接続装置は、ヘアアイロン、ヘアドライヤまたは電気かみそりなどのように、ユーザが直接把持して使用する小型電子製品に適用可能である。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００７４】
本発明の実施例によれば、コード線の移動に応じて３次元的に動きながらも電気的接続を維持することができる電気接続装置を提供することができる。
【００７５】
また、電子製品の接続不良または断線を予防し、耐久性を向上させることができる電気接続装置を提供することができる。
【符号の説明】
【００７６】
１００  電気接続装置
１２０  ハウジング
１２２  上部ハウジング
１４２  下部ハウジング
１６０  第１外部端子
１７０  第２外部端子
１８０  第１内部端子
１９０  第２内部端子
２１０  回転部材
２３０  キャップ
【図１】
2010536140.tif 000003
【図２】
2010536140.tif 000004
【図３】
2010536140.tif 000005
【図４】
2010536140.tif 000006
【図５】
2010536140.tif 000007
【図６】
2010536140.tif 000008
【図７】
2010536140.tif 000009
【図８】
2010536140.tif 000010
【図９】
2010536140.tif 000011
【図１０】
2010536140.tif 000012
【図１１】
2010536140.tif 000013
【図１２】
2010536140.tif 000014
【図１３】
2010536140.tif 000015
【図１４】
2010536140.tif 000016
【図１５】
2010536140.tif 000017
【国際調査報告】
2010536140.tif 000018
2010536140.tif 000019